(57)【要約】【課題】発熱を抑えることができるシャント抵抗器を提供することを目的としている。【解決手段】抵抗体１０と、  抵抗体１０を挟んで当該抵抗体１０に一体的に形成された一対の母材１１と、  母材１１の長手方向に沿う中心軸線Ｏ上に位置する所定箇所の一部を所定形状に切断加工し、その切断加工した所定形状（逆コ字形状部分１１ｅ）を抵抗体１０側に折り曲げ形成することによって、当該母材１１に起立状に立設固定された測定端子１２と、を有してなる。【選択図】図１
2019091824.tif 000002
【特許請求の範囲】
【請求項１】
抵抗体と、
前記抵抗体を挟んで当該抵抗体に一体的に形成された一対の母材と、
前記母材の所定箇所の一部を所定形状に切断加工し、その切断加工した所定形状部分を前記抵抗体側に折り曲げ形成することによって、当該母材に起立状に立設固定された測定端子と、を有してなるシャント抵抗器。
【請求項２】
前記測定端子は、前記母材の長手方向に沿う中心軸線上に位置する所定箇所の一部を所定形状に切断加工し、その切断加工した所定形状部分を前記抵抗体側に折り曲げ形成することによって、当該母材に起立状に立設固定されてなる請求項１に記載のシャント抵抗器。
【発明の詳細な説明】
【技術分野】
【０００１】
本発明は、シャント抵抗器に関し、特に、電気自動車（ＥＶ車）、ハイブリット車（ＨＶ車）、プラグインハイブリット車（ＰＨＶ車）等で使用される高電圧用途のバッテリーからモータ回路へ大電流が流れる電流経路の電流値を計測する際に用いられるシャント抵抗器に関する。
【背景技術】
【０００２】
従来のシャント抵抗器として、特許文献１に記載のようなシャント抵抗器が知られている。このシャント抵抗器は、抵抗体を挟んで抵抗体に一体的に形成された二つの板状の母材それぞれに貫通孔を形成し、その貫通孔内に第１端子部が挿入され、第２端子部が貫通孔内より突出する電圧検出端子が設けられているものである。
【先行技術文献】
【特許文献】
【０００３】
【特許文献１】特開２０１７−００９４１９号公報
【発明の概要】
【発明が解決しようとする課題】
【０００４】
しかしながら、上記従来のシャント抵抗器は、母材と電圧検出端子を別々に製造した上で、母材に電圧検出端子を接合（貫通孔内に電圧検出端子を挿入、あるいは、溶接等）しているため、この接合部分の抵抗が大きくなり、もって、抵抗が大きくなると、大電流を流した際、その部分の発熱が大きくなり、正確に電流値を計測することができない可能性があるといった問題があった。
【０００５】
そこで、本発明は、上記問題に鑑み、発熱を抑えることができるシャント抵抗器を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、抵抗体（１０）と、
前記抵抗体（１０）を挟んで当該抵抗体（１０）に一体的に形成された一対の母材（１１，１１Ａ）と、
前記母材（１１，１１Ａ）の所定箇所の一部を所定形状に切断加工し、その切断加工した所定形状部分（逆コ字形状部分１１ｅ）を前記抵抗体（１０）側に折り曲げ形成することによって、当該母材（１１，１１Ａ）に起立状に立設固定された測定端子（１２）と、を有してなることを特徴としている。
【０００８】
また、請求項２の発明によれば、上記請求項１に記載のシャント抵抗器において、前記測定端子（１２）は、前記母材（１１，１１Ａ）の長手方向に沿う中心軸線（Ｏ）上に位置する所定箇所の一部を所定形状に切断加工し、その切断加工した所定形状部分（逆コ字形状部分１１ｅ）を前記抵抗体（１０）側に折り曲げ形成することによって、当該母材（１１，１１Ａ）に起立状に立設固定されてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る発明によれば、母材（１１，１１Ａ）の所定箇所の一部を所定形状に切断加工し、その切断加工した所定形状部分（逆コ字形状部分１１ｅ）を抵抗体（１０）側に折り曲げ形成することによって、当該母材（１１，１１Ａ）に測定端子（１２）を起立状に立設固定するようにしているから、従来のように、母材（１１，１１Ａ）に対し、溶接等によって測定端子（１２）を接合する必要がなくなる。しかして、本発明によれば、従来のシャント抵抗器に存する接合部分がなくなるため、接合部分の抵抗が大きくなることがなく、もって、発熱を抑えることができる。
【００１１】
また、請求項２に係る発明によれば、測定端子（１２）は、母材（１１，１１Ａ）の長手方向に沿う中心軸線（Ｏ）上に位置する所定箇所の一部を所定形状に切断加工し、その切断加工した所定形状部分（逆コ字形状部分１１ｅ）を抵抗体（１０）側に折り曲げ形成することによって、当該母材（１１，１１Ａ）に起立状に立設固定されているから、抵抗体（１０）の発熱を抑えつつ均一化することができる。
【図面の簡単な説明】
【００１２】
【図１】（ａ）は、本発明の一実施形態に係るシャント抵抗器の斜視図、（ｂ）は、同実施形態に係るシャント抵抗器の正面図である。
【図２】同実施形態に係るシャント抵抗器の製造工程を示し、（ａ）は、一対の母材のうち一方の母材を示し、特に、この母材を加工した状態を示す平面図、（ｂ）は、（ａ）に示す母材の断面図を示し、特に、逆コ字形状部分を起立状に折り曲げ形成した際の断面図、（ｃ）は、（ｂ）に示す母材の他側端部に抵抗体を溶接した状態を示す断面図である。
【図３】同実施形態に係るシャント抵抗器の抵抗体の発熱を計測するにあたっての実験方法を説明するための概略斜視図である。
【図４】（ａ）は、同実施形態に係るシャント抵抗器の抵抗体の発熱を計測した結果を示し、（ｂ）は、母材の長手方向に沿う中心軸線上の位置からずれた位置に貫通孔を上下方向に貫通して切断加工し、測定端子を形成した場合のシャント抵抗器の抵抗体の発熱を計測した結果を示し、（ｃ）は、母材に測定端子を形成しない場合のシャント抵抗器の抵抗体の発熱を計測した結果を示す図である。
【図５】他の実施形態に係るシャント抵抗器の斜視図である。
【発明を実施するための形態】
【００１３】
以下、本発明に係るシャント抵抗器の一実施形態を、図面を参照して具体的に説明する。なお、以下の説明において、上下左右の方向を示す場合は、図示正面から見た場合の上下左右をいうものとする。
【００１４】
本実施形態に係るシャント抵抗器は、特に、電気自動車（ＥＶ車）、ハイブリット車（ＨＶ車）、プラグインハイブリット車（ＰＨＶ車）等で使用される高電圧用途のバッテリーからモータ回路へ大電流が流れる電流経路の電流値を計測する際に用いられるもので、図１（ａ），（ｂ）に示すように、シャント抵抗器１は、抵抗体１０と、抵抗体１０を挟むように抵抗体１０と一体的に形成された一対の母材１１と、一対の母材１１それぞれの所定箇所の一部を所定形状に切断加工し、その切断加工した所定形状部分を抵抗体１０側に折り曲げ形成することによって当該母材１１のそれぞれに起立状に立設固定されている測定端子１２とで構成されている。抵抗体１０は、図１（ａ），（ｂ）に示すように、例えば、厚み約３ｍｍ〜５ｍｍの厚板状で短尺の矩形状に形成されており、例えば、Ｃｕ−Ｍｎ系合金、Ｃｕ−Ｎｉ系合金、Ｎｉ−Ｃｒ系合金、等で形成されていることが好ましく、５０μΩから２００μΩ程度の抵抗体である。このように形成される抵抗体１０の両側面１０ａ，１０ｂには、図１（ａ），（ｂ）に示すように、図示左に位置する母材１１の他側端部１１ｃが抵抗体１０の一方の側面１０ａに溶接により接合され、図示右に位置する母材１１の他側端部１１ｃが抵抗体１０の他方の側面１０ｂに溶接により接合されている。これにより、一対の母材１１が、抵抗体１０を挟むように抵抗体１０と一体的に形成されることとなる。
【００１５】
一方、母材１１は、所謂バスパーと呼ばれるもので、銅等の金属からなり、図１（ａ）に示すように、例えば、厚み約３ｍｍ〜５ｍｍの厚板状で、長尺の矩形状に形成されている。そしてこの母材１１の一側端部１１ａ側（抵抗体１０の接合部と反対側）には、図示しない絶縁ボルトの軸部を通過させるための円形状のボルト孔１１ｂが上下方向に貫通して形成されている。
【００１６】
一方、測定端子１２は、電流検出用のプリント基板を実装可能なものであって、図１（ａ）に示すように、母材１１の長手方向に沿う中心軸線Ｏ上に位置する母材１１の他側端部１１ｃ側（抵抗体１０の接合部側）の一部に、長手方向に沿うように逆コ字形状の貫通孔１１ｄを上下方向に貫通して切断加工し、その切断加工によって形成される逆コ字形状部分１１ｅを、その逆コ字形状部分１１ｅの基端部１１ｅ１を基点として、抵抗体１０側に折り曲げ形成することによって、母材１１のそれぞれに起立状に立設固定されるものである。
【００１７】
ここで、上記のように構成されるシャント抵抗器１の製造方法を、図２を参照して具体的に説明する。
【００１８】
まず、図２（ａ）に示すように、一対の母材１１それぞれの一側端部１１ａ側（図示では、左側）に、パンチプレス加工により、図示しない絶縁ボルトの軸部を通過させるための円形状のボルト孔１１ｂを上下方向に貫通して形成する。そしてさらに、一対の母材１１それぞれの他側端部１１ｃ側（図示では、右側）に、パンチプレス加工により、母材１１の長手方向に沿う中心軸線Ｏ上に位置する箇所の一部に、長手方向に沿うように逆コ字形状の貫通孔１１ｄを上下方向に貫通して形成する。しかして、このように、パンチプレス加工により、逆コ字形状の貫通孔１１ｄを上下方向に貫通して形成することにより、図２（ａ）に示すように、母材１１には、基端部１１ｅ１が母材１１から切り離されていない逆コ字形状部分１１ｅが形成されることとなる。
【００１９】
次いで、図２（ｂ）に示すように、基端部１１ｅ１が母材１１から切り離されていな逆コ字形状部分１１ｅを、その逆コ字形状部分１１ｅの基端部１１ｅ１を基点として、矢印Ｙ１方向に起立状に折り曲げ形成する。これにより、母材１１の他側端部１１ｃ側（図示では、右側）に、逆コ字形状部分１１ｅが起立状に立設固定され、もって、この逆コ字形状部分１１ｅが測定端子１２として機能することとなる。
【００２０】
次いで、図２（ｃ）に示すように、一対の母材１１のうち、一方の母材１１の他側端部１１ｃが抵抗体１０の一方の側面１０ａに溶接により接合され、図示はしないが、同様に、一対の母材１１のうち、他方の母材１１の他側端部１１ｃが抵抗体１０の他方の側面１０ｂに溶接により接合される。これにより、一対の母材１１が、抵抗体１０を挟むように抵抗体１０と一体的に形成され、もって、図１（ａ）に示すような、シャント抵抗器１が製造されることとなる。
【００２１】
しかして、以上説明した本実施形態によれば、母材１１の長手方向に沿う中心軸線Ｏ上に位置する母材１１の他側端部１１ｃ側（抵抗体１０の接合部側）の一部に、長手方向に沿うように逆コ字形状の貫通孔１１ｄを上下方向に貫通して切断加工し、その切断加工によって形成される逆コ字形状部分１１ｅを、その逆コ字形状部分１１ｅの基端部１１ｅ１を基点として、抵抗体１０側に折り曲げ形成することによって、測定端子１２を形成し、もって、この測定端子１２を母材１１のそれぞれに起立状に立設固定するようにしている。これにより、従来のシャント抵抗器のように、母材１１と測定端子１２とを別々に製造していないため、母材１１に測定端子１２を溶接等によって接合する必要がなくなる。それゆえ、本実施形態によれば、従来のシャント抵抗器のような接合部分がないため、接合部分の抵抗が大きくなることがなく、もって、発熱を抑えることができることとなる。
【００２２】
さらに、本実施形態によれば、従来のシャント抵抗器のように、母材１１に測定端子１２を溶接等によって接合する必要がなくなるため、製造工程を削減することができ、もって、コストを削減することができることとなる。
【００２３】
ところで、測定端子１２は、図１に示すように、抵抗体１０の近傍に設ける必要がある。これは、抵抗体１０の近傍に測定端子１２を設けるようにすれば、電流測定時のノイズ等を軽減でき、もって、電流測定の検出精度を向上させることができるためである。それゆえ、測定端子１２は、抵抗体１０の近傍に設ける必要がある。この点、本実施形態によれば、母材１１の長手方向に沿う中心軸線Ｏ上に位置する母材１１の他側端部１１ｃ側（抵抗体１０の接合部側）の一部に、長手方向に沿うように逆コ字形状の貫通孔１１ｄを上下方向に貫通して切断加工することによって、測定端子１２を形成するものであるから、抵抗体１０の極めて近傍に測定端子１２を精度よく設けることができる。それゆえ、本実施形態によれば、従来に比べ、電流測定の検出精度を向上させることができることとなる。
【００２４】
なお、本実施形態において例示したシャント抵抗器１、抵抗体１０、母材１１、測定端子１２の形状はあくまで一例であり、特許請求の範囲に記載された本発明の要旨の範囲内において種々の変形・変更が可能である。例えば、測定端子１２を形成するにあたって、本実施形態においては、逆コ字形状の貫通孔１１ｄを上下方向に貫通して切断加工して形成するようにしたが、それに限らず、逆Ｕ字形状の貫通孔１１ｄを上下方向に貫通して切断加工して形成するようにしても良く、どのような形状にしても良い。
【００２５】
また、本実施形態によれば、母材１１にボルト孔１１ｂ、貫通孔１１ｄを形成するにあたって、パンチプレス加工にて形成する例を示したが、それに限らず、ワイヤー放電加工等どのような加工でも良い。
【００２６】
さらに、本実施形態によれば、母材１１の長手方向に沿う中心軸線Ｏ上に位置する母材１１の他側端部１１ｃ側（抵抗体１０の接合部側）の一部に、長手方向に沿うように逆コ字形状の貫通孔１１ｄを上下方向に貫通して切断加工し、測定端子１２を形成するようにしたが、それに限らず、母材１１の長手方向に沿う中心軸線Ｏ上の位置からずれた位置に貫通孔１１ｄを上下方向に貫通して切断加工し、測定端子１２を形成するようにしても良い。しかしながら、母材１１の長手方向に沿う中心軸線Ｏ上の位置に貫通孔１１ｄを上下方向に貫通して切断加工し、測定端子１２を形成した方が好ましい。このようにすれば、抵抗体１０の発熱を抑えつつ均一化することができるためである。しかるに、抵抗体１０の発熱を抑えつつ均一化することができれば、発熱による抵抗体１０の抵抗値の変化がなくなり、もって、正確に電流値を計測することができることとなる。
【００２７】
ここで、母材１１の長手方向に沿う中心軸線Ｏ上の位置に貫通孔１１ｄを上下方向に貫通して切断加工し、測定端子１２を形成した際、抵抗体１０の発熱を抑えつつ均一化することができるか否かを検証するため、以下の実験を行った。
【００２８】
＜実験例＞
すなわち、図３に示すように、シャント抵抗器１の一対の母材１１の一側端部１１ａ側に、松定プレシジョン社製ＰＲＫ１５−８００の電源を電気的に接続し、２００Ａの電流を矢印Ｙ１０方向に３６００秒間、連続で流し続けた。そして、この時の抵抗体１０の発熱を計測すべく、熱電対からなる温度センサＳを抵抗体１０に貼り付け計測を行った。その結果が、図４（ａ）に示すものである。なお、抵抗体１０の抵抗値は、０．１ｍΩに設定されている。
【００２９】
図４（ａ）に示すように、シャント抵抗器１の抵抗体１０の発熱は、最大値が１２７．１４２ｄｅｇで全体的に均一という結果となった。
【００３０】
次に、母材１１の長手方向に沿う中心軸線Ｏ上の位置からずれた位置に貫通孔１１ｄを上下方向に貫通して切断加工し、測定端子１２を形成した際、抵抗体１０がどのように発熱するか検証すべく、図４（ｂ）に示すようなシャント抵抗器１Ａを製造した。このシャント抵抗器１Ａは、母材１１の長手方向に沿う中心軸線Ｏ上の位置からずれた位置（図示では、上方向の位置）に測定端子１２を形成している点が、図３に示すシャント抵抗器１と相違するだけで、それ以外は同一である。そのため、図４（ｂ）では、図３に示すシャント抵抗器１と同一構成については、同一の符号を付している。
【００３１】
かくして、このようなシャント抵抗器１Ａの一対の母材１１の一側端部１１ａ側に、図３と同様に、松定プレシジョン社製ＰＲＫ１５−８００の電源を電気的に接続し、２００Ａの電流を矢印Ｙ１０（図３参照）方向に３６００秒間、連続で流し続けた。そして、この時の抵抗体１０の発熱を計測すべく、熱電対からなる温度センサＳ（図３参照）を抵抗体１０に貼り付け計測を行った。その結果が、図４（ｂ）に示すものである。
【００３２】
図４（ｂ）に示すように、抵抗体１０の発熱は、最大値が１２７．５５７ｄｅｇで、長手方向に向うに従い（測定端子１２から遠ざかるに従い）発熱温度が高くなるという結果となった。すなわち、抵抗体１０の発熱にばらつきがあるという結果となった。
【００３３】
次に、母材１１に測定端子１２を形成しない際、抵抗体１０がどのように発熱するかを検証すべく、図４（ｃ）に示すようなシャント抵抗器１Ｂを製造した。このシャント抵抗器１Ｂは、母材１１に測定端子１２を形成していない点が、図３に示すシャント抵抗器１と相違するだけで、それ以外は同一である。そのため、図４（ｃ）では、図３に示すシャント抵抗器１と同一構成については、同一の符号を付している。
【００３４】
かくして、このようなシャント抵抗器１Ｂの一対の母材１１の一側端部１１ａ側に、図３と同様に、松定プレシジョン社製ＰＲＫ１５−８００の電源を電気的に接続し、２００Ａの電流を矢印Ｙ１０（図３参照）方向に３６００秒間、連続で流し続けた。そして、この時の抵抗体１０の発熱を計測すべく、熱電対からなる温度センサＳ（図３参照）を抵抗体１０に貼り付け計測を行った。その結果が、図４（ｃ）に示すものである。
【００３５】
図４（ｃ）に示すように、抵抗体１０の発熱は、最大値が１３７．９４６ｄｅｇで、全体的に均一という結果となった。しかしながら、抵抗体１０の発熱は、図４（ａ）に示す抵抗体１０の発熱に比べ、明らかに高い温度で発熱するという結果となった。
【００３６】
以上の実験結果から、母材１１の長手方向に沿う中心軸線Ｏ上の位置に貫通孔１１ｄを上下方向に貫通して切断加工し、測定端子１２を形成するようにすれば、抵抗体１０の発熱を抑えつつ均一化することができることが証明された。しかるに、このように母材１１の長手方向に沿う中心軸線Ｏ上の位置に貫通孔１１ｄを上下方向に貫通して切断加工し、測定端子１２を形成することにより、抵抗体１０の発熱を抑えつつ均一化できるのは、母材１１の長手方向に沿う中心軸線Ｏ上の位置に貫通孔１１ｄを上下方向に貫通して切断加工し、測定端子１２を形成することにより生じる空気の流れが抵抗体１０全体に行き渡り、もって、抵抗体１０全体の熱が放熱され、これによって、抵抗体１０の発熱が抑えられ、均一化されたものと推測される。
【００３７】
ところで、母材１１の長手方向に沿う中心軸線Ｏ上の位置に貫通孔１１ｄを上下方向に貫通して切断加工し、測定端子１２を形成した際、貫通孔１１ｄを形成することにより、母材１１の断面積が従来のシャント抵抗器に比べ減少することとなる。一般的に、シャント抵抗器に１Ａの電流を流す際、母材の断面積として０．１ｍ２が必要とされている。そのため、母材１１の断面積が従来のシャント抵抗器に比べ減少すると、大電流を流した際何らかの問題が発生する可能性もある。そこで、そのような問題が発生する可能性がないようにするため、母材１１の断面積を従来のシャント抵抗器の母材の断面積と同一にすべく、図５に示すシャント抵抗器１Ｃのようにすることができる。
【００３８】
このシャント抵抗器１Ｃは、図５に示すように、一対の母材１１Ａの一側端部１１ａ側の幅方向の形状より、他側端部１１ｃ側の幅方向の形状を膨出した形状にしたものである。すなわち、一対の母材１１Ａの形状を、ボルト孔１１ｂが形成されている一側端部１１ａ側の幅Ｗ１よりも、貫通孔１１ｄが形成されている他側端部１１ｃ側の幅Ｗ２を幅広に形成したものである。これにより、貫通孔１１ｄを形成した分減少した断面積を補填することができ、もって、従来のシャント抵抗器の母材の断面積と同一にすることができる。なお、図５に示すシャント抵抗器１Ｃと図１に示すシャント抵抗器１の相違は、図５に示す母材１１Ａの形状と図１に示す母材１１の形状の相違だけであり、それ以外は同一である。そのため、図５では、図１に示すシャント抵抗器１と同一構成については、同一の符号を付している。
【産業上の利用可能性】
【００３９】
本実施形態において例示したシャント抵抗器１，１Ｃは、特に、電気自動車（ＥＶ車）、ハイブリット車（ＨＶ車）、プラグインハイブリット車（ＰＨＶ車）等で使用される高電圧用途のバッテリーからモータ回路へ大電流が流れる電流経路の電流値を計測する際に用いるのが有用である。
【符号の説明】
【００４０】
１，１Ｃ      シャント抵抗器
１０          抵抗体
１１，１１Ａ  母材
１１ｄ        貫通孔
１１ｅ        逆コ字形状部分（切断加工した所定形状部分）
１２          測定端子
Ｏ            中心軸線
【図１】
2019091824.tif 000003
【図２】
2019091824.tif 000004
【図３】
2019091824.tif 000005
【図４】
2019091824.tif 000006
【図５】
2019091824.tif 000007